(57)【特許請求の範囲】
【請求項１】
バルブを両側から包囲する双方の半筒状カバーの片側縁同士を開閉自在に連結し、
一方の半筒状カバーの反対側縁に被係合具を設けると共に、他方の半筒状カバーの反対側縁に上記の被係合具と係合して双方の半筒状カバーを閉じる係合具を設け、
双方の半筒状カバーの反対側縁にバルブの突起部を外部へ突出させる切欠部を対向させて形成し、
双方の半筒状カバーの軸方向両端に、バルブ前後の管に巻着された断熱材を周囲から抱持固定する半環状の断熱材抱持片を形成した、
ことを特徴とするバルブカバー装置。
【発明の詳細な説明】
【０００１】
【発明の属する技術分野】
本発明は、空調用配管等の途中に設けられるバタフライバルブなどのようなバルブをカバーするのに適したバブルカバー装置に関する。
【０００２】
【従来の技術】
周知のように、ビル等の空調用配管の途中にはバタフライバルブが設けられており、このバルブ前後の配管の周囲には保温用の断熱材を密着して設けることが多い。
【０００３】
このようなバタフライバルブや保温用の断熱材は、カバー材で被覆保護するのが望ましいことは言うまでもない。しかし、これまではブリキ板等で手造りしたカバー材を苦労して取付けているのが実情であって、ワンタッチで簡単且つ確実に着脱作業を行うことができ、しかも安価に量産できるバタフライバルブカバー装置は未開発の状態である。
【０００４】
【発明が解決しようとする課題】
本発明は上記の実情に鑑みてなされたもので、その課題とするところは、ワンタッチで簡単且つ確実に着脱作業を行うことができ、バルブをカバーすることは勿論、断熱材が脱落しないように抱持固定することもでき、また、バタフライバルブなどのような突起部を有するバルブにおいては突起部を除く他の所望なバルブ部分を確実に包囲でき、更にまた、構造がシンプルであるため安価に量産することもできるバルブカバー装置を提供することにある。
【０００５】
【課題を解決するための手段】
上記課題を解決するため、本発明のバルブカバー装置は、バルブを両側から包囲する双方の半筒状カバーの片側縁同士を開閉自在に連結し、一方の半筒状カバーの反対側縁に被係合具を設けると共に、他方の半筒状カバーの反対側縁に上記の被係合具と係合して双方の半筒状カバーを閉じる係合具を設け、双方の半筒状カバーの反対側縁にバルブの突起部を外部へ突出させる切欠部を対向させて形成し、双方の半筒状カバーの軸方向両端に、バルブ前後の管に巻着された断熱材を周囲から抱持固定する半環状の断熱材抱持片を形成したことを特徴とするものである。
【０００６】
かかる構成のバルブカバー装置は、管の途中に設けられたバルブの両側から双方の半筒状カバーを閉じ合わせ、切欠部からバルブの突起部が外部へ突き出した状態でバルブを包囲すると共に、バルブ前後の管の周囲に巻着された断熱材を双方の半筒状カバー両端の断熱材抱持片によって周囲から抱持固定し、一方の半筒状カバーの被係合具に他方の半筒状カバーの係合具を係合させて、閉じた双方の半筒状カバーが開かないようにするだけのワンタッチの取付作業により、簡単且つ確実に取付けることができる。
【０００７】
このようにバルブカバー装置を取付けると、双方の半筒状カバーによってバルブが被覆保護されるだけでなく、バタフライバルブなどのような突起部を有するバルブにおいては突起部を除く他の所望なバルブ部分を確実に包囲でき、また、バルブ前後の断熱材も脱落しないように抱持固定されるので、バルブとその周辺の良好な保温効果が発揮される。
【０００８】
そして、バルブの接続部分の点検を行う場合は、係合具と被係合具の係合を解除して双方の半筒状カバーを開くことにより、ワンタッチで簡単に取り外すことができるので、点検作業も極めて容易である。
【０００９】
また、このバルブカバー装置はシンプルな構造であるため、例えば合成樹脂の真空成形や射出成形などの手段によって、安価に量産することができる。
【００１０】
【発明の実施の形態】
以下、図面を参照して本発明の具体的な実施形態を詳述する。
【００１１】
図１は本発明の一実施形態に係るバタフライバルブカバー装置の斜視図（双方の半筒状カバーが開いた状態を示す斜視図）、図２は同カバー装置の取付状態を示す断面図、図３は同カバー装置の取付状態を示す側面図、図４は同カバー装置の平面図、図５は同カバー装置の底面図、図６は被係合具と係合具の側面図である。
【００１２】
このバタフライバルブカバー装置は、バタフライバルブ１０を両側から包囲する一対の半筒状カバー１ａ，１ｂの片側縁同士を、複数の蝶番２，２で開閉自在に連結したものであって、双方の半筒状カバー１ａ，１ｂの軸方向両端には、半環状の断熱材抱持片３，３が一体形成されている。この半筒状カバー１ａ，１ｂは熱可塑製樹脂を真空成形した成形品であり、特に成形が容易で耐薬品性等に優れた塩化ビニル樹脂製の半筒状カバーが好適である。
【００１３】
図１、図３、図４に示すように、一方の半筒状カバー１ａの反対側縁（蝶番２で連結された片側縁と反対側の側縁）には一組の被係合具４，４が設けられ、この被係合具４，４と係合する一組の係合具５，５が他方の半筒状カバー１ｂの反対側縁に設けられている。
【００１４】
この被係合具４は、図６に示すように湾曲した被係合爪４ａを有する金具であり、ネジ４ｂで半筒状カバー１ａに固定されている。また、係合具５は、基礎金具５ａの先端に作動金具５ｂの先端を軸着すると共に、上記の被係合爪４ａと係合する環状金具５ｃを作動金具５ｂに枢着したものであり、基礎金具５ａをネジ５ｄで半筒状カバー１ｂに固定して取付けられている。従って、図６（イ）に示すように係合具５の環状金具５ｃを被係合具４の被係合爪４ａに引っ掛けて作動金具５ｂを矢印Ｘ方向に押付け、図６（ロ）のように作動金具５ｂを基礎金具５ａに重ねると、係合金具５ｃが被係合爪４ａに強固に係合して双方の半筒状カバー１ａ，１ｂが閉じ、そのまま開かないように固定することができる。
【００１５】
また、半筒状カバー１ａ，１ｂの反対側縁の中央部には半円状切欠部６，６が対向して形成されており、該切欠部６，６からバタフライバルブ１０の突起部１０ａ（コック１０ｂが取付けられた突起部１０ａ）が外部へ突出するようになっている。
【００１６】
蝶番２，２で連結される双方の半筒状カバー１ａ，１ｂの片側縁には帯状の平坦面部７，７が形成されており、被係合具４，４及び係合具５，５が取付けられる反対側縁にも帯状の平坦面部８，８が形成されている。従って、これらの平坦面部７，７，８，８に蝶番２，２や被係合具４，４や係合具５，５をガタツキなく取付固定することができる。
【００１７】
以上のような構成のバタフライバルブカバー装置の取付作業は次の要領で簡単に行われる。
【００１８】
まず、管１２，１２の間に接続されているバタフライバルブ１０の両側から双方の半筒状カバー１ａ，１ｂを閉じ合わせ、円形に合致した半円状切欠部６，６からバタフライバルブの突起部１０ａを外部へ突出させた状態で該バルブ１０を包囲すると共に、バルブ前後の管１２，１２の周囲に巻着されたスチールウールなどの断熱材１１，１１を半筒状カバー１ａ，１ｂの両端の断熱材抱持片３，３によって周囲から抱持固定する。そして、一方の半筒状カバー１ａの被係合具４，４に他方の半筒状カバー１ｂの係合具５，５を既述したように係合させることにより、閉じた双方の半筒状カバー１ａ，１ｂを開かないように固定すると、ワンタッチで簡単且つ確実に取付けることができる。
【００１９】
このようにバタフライバルブカバー装置を取付けると、双方の半筒状カバー１ａ，１ｂによってバタフライバルブ１０が被覆保護されるだけでなく、円形に合致した半円状切欠部６，６からバタフライバルブ１０の突出部１０ａを外部へ突出させた状態で該バルブ１０の所望の部分を双方の半筒状カバー１ａ，１ｂで確実に包囲でき、また、バルブ前後の断熱材１１，１１も脱落しないように抱持固定されるので、バルブ１０とその周辺を充分に保温することができ、更に、バタフライバルブ１０の接続部分の点検等を行う場合には、係合具５と被係合具４の係合を解除して双方の半筒状カバー１ａ，１ｂを開くことにより、ワンタッチで簡単にカバー装置を取り外すことができるので、点検作業も極めて容易に行えるようになる。
【００２０】
尚、上記の実施形態では、双方の半筒状カバー１ａ，１ｂを蝶番２，２で開閉自在に連結しているが、双方の半筒状カバー１ａ，１ｂを屈曲自在な薄肉ヒンジ部を介して一体成形することにより開閉自在に連結する構成としてもよい。また、前述した被係合具４や係合具５に代えて、ワンタッチで簡単に係合できる他の構造の被係合具や係合具を取付けてもよい。また、バタフライバルブ１０以外のバルブ突起部が半筒状カバー１ａ，１ｂから外部に突出する他のバルブに本発明のバルブカバー装置を適用してもよい。更に、半筒状カバー１ａ，１ｂの半円状切欠部６，６に代えて、半筒状カバー１ａ，１ｂから外部へ突出するバルブ突出部分に対応した他の切欠形状の切欠部を形成してもよい。
【００２１】
【発明の効果】
以上の説明から明らかなように、本発明のバルブカバー装置は、ワンタッチで簡単且つ確実に着脱作業を行うことができ、バルブをカバーして保護することは勿論、バタフライバルブなどのような突起部を有するバルブにおいてはこの突起部を双方の半筒状カバーの切欠部より外部に突出させて、突起部を除く他の所望なバルブ部分を確実に包囲でき、また、バルブ前後の断熱材を脱落しないように抱持固定して保温することもでき、更に、構造がシンプルであるため安価に量産することもできるといった効果を奏する。
【図面の簡単な説明】
【図１】本発明の一実施形態に係るバタフライバルブカバー装置の斜視図であって、双方の半筒状カバーが開いた状態を示すものである。
【図２】同バタフライバルブカバー装置の取付状態を示す断面図である。
【図３】同バタフライバルブカバー装置の取付状態を示す側面図である。
【図４】同バタフライバルブカバー装置の底面図である。
【図５】同バタフライバルブカバー装置の平面図である。
【図６】被係合具と係合具の側面図であって、（イ）は係合具の環状金具を被係合具の被係合爪に単に引掛けただけの係合前の状態を示し、（ロ）は作動金具を操作して環状金具を被係合爪に強固に係合させた状態を示している。
【符号の説明】
１ａ，１ｂ  半筒状カバー
２  蝶番
３  半環状の断熱材抱持片
４  被係合具
５  係合具
６  半円状切欠部
７，８  平坦面部
１０  バタフライバルブ
１０ａ  バラフライバルブの突起部
１１  断熱材
１２  管
【図１】
0003614280.tif 000002
【図２】
0003614280.tif 000003
【図３】
0003614280.tif 000004
【図４】
0003614280.tif 000005
【図５】
0003614280.tif 000006
【図６】
0003614280.tif 000007